(57)【要約】【課題】建造物の躯体構成部材間に架け渡したデッキプレートにコンクリートを打設してスラブを構築する時、打設コンクリートの重量による撓みを緩和し、かつその撓みによる主筋端部の跳ね上がりも抑え、さらに鉄筋ユニットに掛かる荷重を効果的に建造物の躯体構成部材に伝達するデッキプレートを提供する。【解決手段】デッキプレート１０は、鉄筋ユニット１２を備え、該鉄筋ユニット１２は金属ベース１１の上面１１ｃに取り付けられている。鉄筋ユニット１２は荷重支持部材２１を備え、この部材２１は鉄筋ユニット１２の端部に掛かる荷重を躯体横梁３５に伝達すると共にコンクリート打設時の曲げモーメントによる第１，第２鉄筋１３，１４端部の跳ね上がりを抑制する。この部材２１は、第２鉄筋１４に係止する締結金具２２と第１鉄筋１３に溶接された棒材２３とから構成され、棒材２３は締結金具２２に溶接され、かつ横梁３５にも固定される。【選択図】図１
2007262859.tif 000002
【特許請求の範囲】
【請求項１】
所定の面積を有する金属ベースと、前記金属ベースの相対向する一対の端縁部間を延びる少なくとも一組の鉄筋ユニットとを備えるデッキプレートにおいて、
前記鉄筋ユニットが、前記金属ベースの上面から上方へ離間して前記両端縁部間を延びる複数本の主鉄筋と、前記主鉄筋と前記金属ベースとに固着されたラチス筋と、前記金属ベースの前記端縁部に設けられ、該金属ベースの前記端縁部が載置される建造物躯体の構成部材に、前記鉄筋ユニットに掛かる荷重を伝達する荷重支持部材とを備え、
前記荷重支持部材が、締結金具と、該締結金具に固着された金属製の棒材とから構成され、前記棒材は、前記デッキプレートがその端部を前記建造物躯体の構成部材上に載置して架け渡されたとき、前記建造物躯体の前記構成部材に固着され、前記締結金具と前記棒材とが共同して複数の前記主鉄筋の各端部における前記上方への動きを拘束することを特徴とするデッキプレート。
【請求項２】
前記主鉄筋が、前記金属ベースの前記上面から上方へ離間して前記両縁端部間を延びる第１鉄筋と、該第１鉄筋の両側方で前記第１鉄筋より下方に配置され、かつ前記第１鉄筋に沿って延びる一対の第２鉄筋とから構成され、
前記ラチス筋が、前記第１鉄筋の両側部で前記第１鉄筋に沿って配置され、前記第１鉄筋、前記第２鉄筋、および前記金属ベースに固着され、
前記締結金具が、一対の前記第２鉄筋と前記金属ベースとの間又は一対の前記第２鉄筋と前記第１鉄筋との間のいずれかにおいて前記鉄筋ユニットが延びる長手方向に直交し、かつ前記金属ベースの前記上面に沿う幅方向に延びる拘束筋で形成され、前記棒材の上端部が記第１鉄筋の端部に固着され、かつ下端部が前記建造物躯体の前記構成部材に固着され、前記拘束筋が、前記第２鉄筋の各端部における前記上方への動きを拘束すると共に前記棒材が前記第１鉄筋の端部における前記上方への動きを拘束している請求項１に記載のデッキプレート。
【請求項３】
前記拘束筋の前記両端側が、前記第２鉄筋に固着されると共に、前記金属ベースの前記上面に向かって屈曲し、前記拘束筋の両端部がそれぞれ前記金属ベースの前記上面に載置している請求項２に記載のデッキプレート。
【発明の詳細な説明】
【技術分野】
【０００１】
本発明は、デッキプレートに関し、さらに詳細には建造物等において鉄筋コンクリート製のスラブ（床）を形成する際に用いる鉄筋ユニット付きのデッキプレートに関する。
【背景技術】
【０００２】
例えば、鉄筋コンクリート製建造物又は鉄骨製建造物などの施工において、デッキプレートと称する型枠を横梁のような躯体構成部材の間に架け渡し、該デッキプレートの上部にコンクリートを打設してスラブを構築する手法はよく知られている。このようなスラブ構築方法で用いるデッキプレートでは、所定の面積と厚みとを有する薄い鉄板などで形成された金属ベースと、その上部に並列して取り付けられた複数の鉄筋ユニットとが主たる構成要素となっている。デッキプレートは、金属ベースの上部に打設されるコンクリートを支持するのでスラブ形成用の捨て型枠としての機能を有し、同時に形成後のスラブにおける構造体の一部分ともなっている。
【０００３】
従来のデッキプレートには種々のものがあるが、その一例として特許文献１に開示された床構造材が知られている。この床構造材は、前述したように金属ベースの上面に複数の自立型トラス（鉄筋ユニット）が取り付けられている。この自立型トラスは、主鉄筋である１本の上弦筋および２本の下弦筋と、波状に屈曲させた２本のラチス筋とから構成され、上弦筋と下弦筋とが、相互に間隔をあけて並行にかつこれら上弦筋と下弦筋の端部側から見たとき仮想の三角形の各頂点に位置するように配置され、ラチス筋の上側屈曲部に上弦筋を、また下側屈曲部を下弦筋に溶接したものである。
【０００４】
この自立型トラスは、ラチス筋の下側屈曲部が金属ベースの上面に溶接されることにより該金属ベースに取り付けられている。かかるデッキプレートの複数が、例えば、建造物の躯体を構成する横梁のような構成部材間に架け渡して仮設（敷き込み）される。その際、デッキプレートは、自立型トラスが延びる長手方向（便宜的に、配力筋方向という）における相対向する端部が建造物の躯体構成部材に乗せられて架け渡され、隣接するデッキプレートの側部どうしは相互に係止されて連続的に敷き込まれ、その後にデッキプレートの上面にコンクリートが自立型トラスに対して所定のかぶりを得るように打設される。
【特許文献１】特開２００４−１２４５１８号公報
【発明の開示】
【発明が解決しようとする課題】
【０００５】
前記特許文献１に開示のデッキプレートを用いたスラブの施工において、デッキプレートの上面にコンクリートが打設されるとき、デッキプレートそれ自体の重量を含めた全重量の荷重は、自立型トラスに掛かり、この荷重は、自立型トラスの両端部を介してデッキプレートの配力筋方向両端部を乗せている建造物の躯体構成部材により支持されている。しかし、デッキプレートの配力筋方向最端部に位置しているラチス筋の下側屈曲部（金属ベースの上面に溶接されている部分）が都合良くデッキプレートを架け渡す建造物の躯体構成部材上に存在している場合は良いが、デッキプレートを架け渡す建造物の躯体構成部材間の寸法によっては配力筋方向最端部に位置しているラチス筋の下側屈曲部が建造物の躯体構成部材上に存在しないこともあり、そのような場合には自立型トラスの端部に掛かる荷重が建造物の躯体構成部材に適正に伝達されず、スラブが所定の強度で支持されない、という問題が生じる。
【０００６】
また、デッキプレートの上面にコンクリートが打設されるとき、デッキプレートの配力筋方向のほぼ中央部に最も大きな荷重が掛かり、この中央部から端部側における荷重は、中央部から端部へ向かって漸減するような分布となる。そのため、コンクリートの打設時には、デッキプレートに掛かる荷重が、配力筋方向の中央部を下方向へ沈み込ませ、これに伴って両端部が僅かに上方へ浮き上がる、という現象を起こす。このように、コンクリートの打設時には、デッキプレートが僅かに撓みを起こすので、従来のデッキプレートでは、この撓みの発生を予め見込み、「むくり」と称してスパン長５ｍについて中央部を２０ｍｍほど上方へ湾曲させて太鼓橋状になるように設計していた。しかし、デッキプレートに起こる撓み量は金属ベースや自立型トラスの強度にも関係することから、この撓み量を予め算出して設計に正確に反映させることは難しい、という問題があった。
【０００７】
さらに、コンクリート打設時に上述したような撓みがデッキプレートに起こると、自立型トラスが金属ベースに乗っていることから該自立型トラスを構成している上弦筋や下弦筋のそれぞれ端部が上方へ跳ね上がるように湾曲することがある。特に、上弦筋端部の跳ね上がりは、コンクリート打設の際に所定のかぶりを得ることが出来ない可能性があるばかりではなく、場合によっては打設したコンクリート面から外へ出るおそれもあるので、この跳ね上がりを防止することも必要であった。
【０００８】
本発明の目的は、鉄筋ユニットが予め取り付けられているデッキプレートを建造物の躯体構成部材間に架け渡した後にコンクリートを打設してスラブを構築するとき、打設コンクリートの重量によるデッキプレートの撓みを緩和し、かつそれによって発生する主筋端部の跳ね上がりも抑え、さらに鉄筋ユニットに掛かる荷重を効果的に建造物の躯体構成部材に伝達するデッキプレートを提供することにある。
【課題を解決するための手段】
【０００９】
本発明は、所定の面積を有する金属ベースと、前記金属ベースの相対向する一対の端縁部間を延びる少なくとも一組の鉄筋ユニットとを備えるデッキプレートであり、その特徴とするところは、前記鉄筋ユニットが、前記金属ベースの上面から上方へ離間して前記両端縁部間を延びる複数本の主鉄筋と、前記主鉄筋と前記金属ベースとに固着されたラチス筋と、前記金属ベースの前記端縁部に設けられ、該金属ベースの前記端縁部が載置される建造物躯体の構成部材に、前記鉄筋ユニットに掛かる荷重を伝達する荷重支持部材とを備え、前記荷重支持部材が、締結金具と、該締結金具に固着された金属製の棒材とから構成され、前記棒材は、前記デッキプレートがその端部を前記建造物躯体の構成部材上に載置して架け渡されたとき、前記建造物躯体の前記構成部材に固着され、前記締結金具と前記棒材とが共同して複数の前記主鉄筋の各端部における前記上方への動きを拘束することにある。
【００１０】
本発明のデッキプレートにおける実施形態の一例としては、前記主鉄筋が、前記金属ベースの前記上面から上方へ離間して前記両縁端部間を延びる第１鉄筋と、該第１鉄筋の両側方で前記第１鉄筋より下方に配置され、かつ前記第１鉄筋に沿って延びる一対の第２鉄筋とから構成され、前記ラチス筋が、前記第１鉄筋の両側部で前記第１鉄筋に沿って配置され、前記第１鉄筋、前記第２鉄筋、および前記金属ベースに固着され、前記締結金具が、一対の前記第２鉄筋と前記金属ベースとの間又は一対の前記第２鉄筋と前記第１鉄筋との間のいずれかにおいて前記鉄筋ユニットが延びる長手方向に直交し、かつ前記金属ベースの前記上面に沿う幅方向に延びる拘束筋で形成され、前記棒材の上端部が記第１鉄筋の端部に固着され、かつ下端部が前記建造物躯体の前記構成部材に固着され、前記拘束筋が、前記第２鉄筋の各端部における前記上方への動きを拘束すると共に前記棒材が前記第１鉄筋の端部における前記上方への動きを拘束している。
【００１１】
本発明のデッキプレートにおける実施形態の他の例としては、前記拘束筋の前記両端側が、前記第２鉄筋に固着されると共に、前記金属ベースの前記上面に向かって屈曲し、前記拘束筋の両端部がそれぞれ前記金属ベースの前記上面に載置している。
【発明の効果】
【００１２】
本発明のデッキプレートによれば、鉄筋ユニットを構成する複数の主鉄筋と金属ベースとを連結するラチス筋において、金属ベースに固着される部分が鉄筋ユニットの延長方向における金属ベースの端縁部に存在しない場合でも鉄筋ユニットに掛かる荷重が金属ベースの端部に配置された荷重支持部材により金属ベースを介して建造物の躯体構成部材に伝達されるため鉄筋ユニットに掛かる全荷重を建造物の躯体構成部材で確実に受けることができる。その結果、このデッキプレートは、打設されたコンクリートの重量に十分に耐えることができる。
【００１３】
また、本発明のデッキプレートによれば、荷重支持部材を構成する締結金具と建造物の躯体構成部材に固着される棒材とが相互に固着され、締結金具と棒材とが共同して鉄筋ユニットにおける複数の主鉄筋端部の上方への動きを拘束するので、デッキプレートにコンクリートを打設したときにデッキプレートの中央部に大きな荷重が掛かっても撓みの発生を緩和すると共に、この撓みによって主鉄筋端部が跳ね上がろうとしてもその跳ね上がりを抑えることができる。その結果、完成したスラブの品質を向上させることができる。
【００１４】
さらに、本発明のデッキプレートによれば、締結金具を拘束筋で形成し、該拘束筋を一対の第２鉄筋の下側において金属ベースの上面に沿う幅方向に延びるように配置すれば、該拘束筋の両端側を第２鉄筋に巻き付けるようにその下側から上側に曲げて第２鉄筋に係止するだけで良く、第２鉄筋と溶接などをする必要がないため鉄筋ユニットへの取り付けが容易となることから、施工時の組み立て時間を短縮することができる。すなわち、拘束筋の両端側に第２鉄筋の直径とほぼ同じＵ字形の溝部を形成するように予め両端側を曲げ加工しておけば、さらに組み立てを容易に行うことができる。
【００１５】
また、本発明のデッキプレートによれば、拘束筋を一対の第２鉄筋の上側において金属ベースの上面に沿う幅方向に延びるように配置すれば、拘束筋の両端部を曲げ加工する必要さえ無くなり、荷重支持部材を容易にかつ安価に提供することができる。もちろん、その場合でも拘束筋の両端側が、前記第２鉄筋を巻き込むようにその上側から下側に曲げられていてもよい。
【００１６】
また、本発明のデッキプレートによれば、拘束筋を一対の第２鉄筋に溶接などにより固着し、この拘束筋の両端側を金属ベースの上面に向かって屈曲し、該拘束筋の両端部をそれぞれ金属ベースの上面に載置させることによりコンクリート打設後の鉄筋ユニットの端部に掛かる荷重を棒材と拘束金具とに分散して建造物の躯体構成部材に伝達することができる。
【発明を実施するための最良の形態】
【００１７】
以下、本発明のデッキプレートを図に示される実施形態について更に詳細に説明する。図１は、本発明の一実施形態に係るデッキプレート１０を概略的に示す斜視図、図２は、図１のデッキプレート１０を上方から見た上面図、図３（ａ）は、デッキプレート１０を図１の矢印Ａで示す方向から見た側面図、図３（ｂ）は、デッキプレート１０にコンクリートを打設したときの荷重分布を示す図、図４は、デッキプレート１０を図１の矢印Ｂで示す方向から見た端面図である。図１において、デッキプレート１０の縦方向（配力筋方向）を矢印Ｙ、横方向を矢印Ｘで示す。また、図１〜図３に示されるデッキプレート１０は、本発明を理解し易くするために配力筋方向長さを実際のものに比べて極端に短くして描かれている。
【００１８】
本発明の一実施形態に係るデッキボード１０は、所定の面積を有する金属ベース１１の上面に２組の鉄筋ユニット１２を取り付けて構成されている。２組の鉄筋ユニット１２は、金属ベース１１の上面に並行に配列され、金属ベース１１の配力筋方向Ｙ、すなわち相対向する一対の端縁部１１ａ，１１ｂ間を延びている。各鉄筋ユニット１２は、１本の第１鉄筋（主鉄筋）１３と、一対（２本）の第２鉄筋（主鉄筋）１４と、一対（２本）のラチス筋１５とから組み立てられ、その詳細については後述する。
【００１９】
金属ベース１１は、ほぼフラットな上面１１ｃおよび下面１１ｄを有し、主に鉄板から作られ、その上下面１１ｃ，１１ｄにメッキ処理が施されている。この金属ベース１１の面積については任意に設計可能であり、構築するスラブの大きさによって自由に設定される。また、金属ベース１１を鉄以外の金属で作ることもできる。金属ベース１１において横方向Ｘに位置する一対の側部１１ｅ，１１ｆには、図１から明らかなように金属ベース１１の側縁部を上面１１ｃ側に折り曲げた第１係合部１６と、金属ベース１１の側縁部を下面１１ｄ側に折り曲げた第２係合部１７とが形成されている。複数のデッキプレート１０は、それぞれの側部１１ｅ，１１ｆが隣接するように並列に配置され、隣接するデッキプレート１０の第１係合部１６と第２係合部１７とを引っ掛けることで、互いに連結される。
【００２０】
金属ベース１１には、その上面１１ｃから上方へ突出する複数条の突条１８が形成されている。突条１８は、第１鉄筋１３の横方向両側に位置し、金属ベース１１上を配力筋方向へ延びている。突条１８は、金属ベース１１の一部分をその上面１１ｃから上方へ向かって山折りし、山折りした部分において金属ベース１１の下面１１ｄどうしを密着させて形成されている。
【００２１】
突条１８は、上下面１１ｃ，１１ｄに直交する上下方向へ所定の高さ寸法を有し、図２に示されるように上方から見た形状がほぼ線状を呈し、かつ図３，図５に示されるようにその側面形状が帯状を呈している。突条１８の上下方向の高さ寸法に特に限定はないが、高さ寸法の好ましい範囲は５〜５０ｍｍである。突条１８には、その上端１８ａから金属ベース１１の上面１１ｃに向かって窪んだ凹部１８ｂ（図５参照）が形成されている。凹部１８ｂは、金属ベース１１の上面１１ｃに達することなく、金属ベース１１の上面１１ｃから上方へ所定寸法離間している。
【００２２】
鉄筋ユニット１２を構成している第１鉄筋１３は、金属ベース１１の上面１１ｃから上方へ所定寸法離間して配力筋方向Ｙへ直線的に延びている。また、第２鉄筋１４は第１鉄筋１３の下方かつ第１鉄筋１３の横方向両側に位置し、かつ金属ベース１１の上面１１ｃから上方へ所定寸法離間して配力筋方向Ｙへ直線的に延びている。すなわち、１本の第１鉄筋１３と２本の第２鉄筋１４とは、相互に間隔をあけて並行に、かつこれら第１鉄筋１３と第２鉄筋１４とを端部側（配力筋方向）から見たとき図４から明らかなように仮想の三角形の各頂点に位置するように配置されている。２本のラチス筋１５は、金属ベース１１と第１鉄筋１３との間に位置し、上下方向へ波状に屈曲を繰り返して配力筋方向Ｙへ延び、従って、上側屈曲部１５ａおよび下側屈曲部１５ｂと、上側および下側屈曲部１５ａ，１５ｂの間の中間直線部１５ｃとを形成している。
【００２３】
このような２本のラチス筋１５の各々は、第１鉄筋１３を挟んでその両側部に対称に配置され、かつ図１ないし図４に示されるように上側屈曲部１５ａから下側屈曲部１５ｂに向かって配力筋方向へ末広がりを呈すると共に、金属ベース１１に対して所定角度で傾斜している。各ラチス筋１５の上側屈曲部１５ａは、第１鉄筋１３の横方向両側に当接した状態で、第１鉄筋１３にスポット溶接されている。下側屈曲部１５ｂは、金属ベース１１の上面１１ｃと並行するように、横方向外方へ折り曲げられている。下側屈曲部１５ｂは、突条１８を越えて横方向外方へ張り出しており、従って下側屈曲部１５ｂは突条１８と二点で交差している。下側屈曲部１５ｂのうちの突条１８と交差する部分１９は、突条１８に形成された凹部１８ｂに嵌入した状態で突条１８にスポット溶接されている。各ラチス筋１４の中間直線部１５ｃには第２鉄筋１４が接触し、ラチス筋１５の中間直線部１５ｃのうちの第２鉄筋１４と交差する部分２０が第２鉄筋１４にスポット溶接されている。
【００２４】
鉄筋ユニット１２を構成する第１鉄筋１３、第２鉄筋１４およびラチス筋１５それぞれの太さは特に限定されるものではなく、構築するスラブの大きさやスラブに必要な強度に合わせて自由に設定される。第１鉄筋１３、第２鉄筋１４、ラチス筋１５に用いられる金属は鉄が好ましいが、鉄以外の金属を使用することもできる。また、第１鉄筋１３、第２鉄筋１４、ラチス筋１５に鉄を用いる場合はメッキ等の防食処理を施すことも好ましい。ラチス筋１５において、単位長さ（ｍ）当たりの屈曲を繰り返す回数や、ラチス筋１５を配置する際の金属ベース１１に対する傾斜角度についても特に限定はなく自由に設定することができる。
【００２５】
このようなデッキプレート１０は、スラブを構築するとき捨て型枠として使用されるが、その場合、鉄筋ユニット１２を上にした状態で、鉄骨造については鉄骨躯体の横梁３５に金属ベース１１の両端縁部１１ａ，１１ｂが乗せられて横梁３５の間に架け渡される。この作業を「敷き込み」と称するが、この敷き込みが終了した後に金属ベース１１上にコンクリート（図示せず）が打設される。そのようなとき、デッキプレート１０には、金属ベース１１の両端縁部１１ａ，１１ｂ間のほぼ中央部が沈み込むような曲げモーメントが作用する。かかる曲げモーメントによると、図３（ｂ）に示される荷重分布に示されるようにデッキプレート１０の中央部に最も大きな下方向への荷重が働く。従って、打設されるコンクリートの量とデッキプレート１０を構成する金属ベース１１や鉄筋ユニット１２の強度との関係によっては、単なる内部応力だけに留まらず、デッキプレート１０を実際に変形させることがある。このような変形が起こるとデッキプレート１０の両端部は、横梁３５から離れるような上方への作用力を受けて浮き上がると共に、鉄筋ユニット１２も全体が変形力を受けるので第１鉄筋１３と第２鉄筋１４の各端部が上方へ跳ね上がるように湾曲する。このような主鉄筋端部の跳ね上がりはスラブの品質および性能を低下させる。また、デッキプレート１０が、コンクリートの打設による荷重によって変形すればスラブの平坦度も低下することになるので、このような変形を極力抑える必要がある。
【００２６】
ところで、金属ベース１１上に打設されたコンクリートの重量とデッキプレート１０それ自体の重量とのほぼ全荷重は、鉄筋ユニット１２に掛かることになる。すなわち、打設されたコンクリートを受ける金属ベース１１は、該金属ベース１１の突条１８に各下側屈曲部１５ｂを溶接したラチス筋１５により吊り下げられていることになるので、打設コンクリートのほぼ全重量は、このラチス筋１５を介して鉄筋ユニット１２に掛かり、鉄筋ユニット１２に掛かる荷重は鉄骨造躯体の横梁３５で受けることとなる。そのため、鉄筋ユニット１２には、前述したようにコンクリート打設時のデッキプレート１０の両端部の上方向への浮き上がりを防止すると共に、鉄筋ユニット１２に掛かる荷重を適切に横梁３５に伝達するための荷重支持部材２１が設けられている。
【００２７】
荷重支持部材２１は、第２鉄筋１４に係止する締結金具２２と、該締結金具２２に固着された金属製のＬ型の棒材２３とから構成されている。締結金具２２は、第２鉄筋１４の端部が上方向へ浮き上がるのを抑制するために使用され、図４から明らかなように一対の第２鉄筋１４と金属ベース１１との間において鉄筋ユニット１２が延びる配力筋方向に直交し、かつ金属ベース１１の上面１１ｃに沿う幅方向（デッキプレート１０の横方向Ｘ）に延びる拘束筋２４で形成されている。この拘束筋２４の両端部２４ａ，２４ｂは、第２鉄筋１４を巻き込むようにその下側から上側に曲げられて各第２鉄筋１４に係止されている。拘束筋２４の両端部２４ａ，２４ｂを第２鉄筋１４に係止する手段は、該端部２４ａ，２４ｂの第２鉄筋１４への巻き付けに限定されるものではなく、溶接などの手段も好ましい。また、棒材２３はＬ型を呈していることから、ほぼ直角に曲げられた屈曲部２３ａと、この屈曲部２３ａからほぼ直線的に延びる第１の棒状部２３ｂと、この第１の棒状部２３ｂの延長方向に直交する方向に延びる第２の棒状部２３ｃとを備えている。
【００２８】
第１の棒状部２３ｂは、第１鉄筋１３の側部に立設され、該棒状部２３ｂの端部における周面が第１鉄筋１３の周面に接触し、その接触部が溶接（図１，図４において溶接部を符号２６で示す）されている。また、第１の棒状部２３ｂは、締結筋２４にも周面どうしが接触し、その接触部が溶接されている（図１，図４において溶接部を符号２７で示す）。他方、第２の棒状部２３ｃは、金属ベース１１の上面１１ｃにほぼ平行して配力筋方向へ延び、金属ベース１１の端縁部１１ａ，１１ｂから外側に突出している。第２の棒状部２３ｃにおける金属ベース１１から外方へ突出した端部２３ｄは、デッキプレート１０の両端部が、例えばＨ型鋼からなる横梁３５に乗せられて敷き込まれた時に横梁３５に溶接（図１，図３において溶接部を符号２８で示す）される。ただし、第２の棒状部２３ｃの端部２３ｄが金属ベース１１の端縁から外方へ突出していることは必須の要件ではない。その理由は、金属ベース１１に乗っている第２の棒状部２３ｃを金属ベース１１に溶接するとき、その溶接の程度によっては金属ベース１１の一部が溶接熱で溶解して第２の棒状部２３ｃが下側の横梁３５にも溶接されることになるからである。
【００２９】
このようなデッキプレート１０によると、該デッキプレート１０が横梁３５に架け渡されてコンクリートが打設されるとき、鉄筋ユニット１２に掛かる荷重は、第１鉄筋１３からＬ型の棒材２３を介し、また第２鉄筋１４から拘束筋２４およびＬ型の棒材２３を介して金属ベース１１の端縁部１１ａ，１１ｂに伝達され、最終的に鉄骨躯体の横梁３５に及ぶので、鉄筋ユニット１２の両端部に掛かる荷重は、確実に横梁３５により支持される。また、デッキプレート１０にコンクリートが打設されたとき、前述したように打設されたコンクリートの荷重は、図３（ｂ）に示される荷重分布のようにスパン長Ｌのデッキプレート１０における配力筋方向の中央部が最も大きく、この中央部から端部側へ向かって漸減する。かかる曲げモーメントによってデッキプレート１０に撓みが起こると、デッキプレート１０の両端部が横梁３５から離れるように上方向へ浮き上がろうとし、これに伴って第１鉄筋１３と第２鉄筋１４とにおけるそれぞれの端部が上方へ跳ね上がるように湾曲しようとする。しかし、鉄筋ユニット１２の端部において棒材２３の端部２３ｄが横梁３５に溶接され、棒状部２３ｂが第１鉄筋１３の端部に溶接され、さらには第２鉄筋１４に係止されている拘束筋２４が棒状部２３ｂに溶接されているので、それぞれの主鉄筋端部の跳ね上がりも阻止することができる。
【００３０】
このように拘束筋２４の両端部を第２鉄筋に巻き付けるようにその下側から上側に曲げて第２鉄筋１４に係止する場合には、第２鉄筋１４と溶接などをする必要がないため鉄筋ユニット１２への取り付けが容易となることから、施工時の組み立て時間を短縮することができる。すなわち、拘束筋２４の両端部２４ａ，２４ｂに第２鉄筋１４の直径とほぼ同じＵ字形の溝部を形成するように予め両端部２４ａ，２４ｂを曲げ加工しておけば、鉄筋ユニット１２への拘束筋２４の取り付けを容易にできる。もちろん、拘束筋２４の端部と第２鉄筋１４とを溶接しておいてもよい。
【００３１】
前述した実施形態に係るデッキプレート１０では、締結金具２２が、一対の第２鉄筋１４と金属ベース１１との間において鉄筋ユニット１２が延びる配力筋方向に直交し、かつデッキプレート１０の横方向Ｘへ延びる拘束筋２４で形成され、該拘束筋２４の両端部２４ａ，２４ｂが、第２鉄筋１４を巻き込むようにその下側から上側に曲げられて各第２鉄筋１４に係止されたものであったが、図６に示されるように一対の第２鉄筋１４と第１鉄筋１３との間において配力筋方向に直交し、かつデッキプレート１０の横方向Ｘへ延びる拘束筋２５で形成することもできる。このように締結金具２２を構成する拘束筋２５が第２鉄筋１４の上側において横方向Ｘへ延びるように配置されている場合、コンクリート打設時にデッキプレート１０が撓んで鉄筋ユニット１２が変形するとき、上方向へ向かって跳ね上がるように湾曲しようとする第２鉄筋１４の端部が締結金具２２の拘束筋２５に当接するので、その動きを拘束することができる。このようなことから、拘束筋２５の端部を第２鉄筋１４に巻き付けるように曲げて積極的に連結する必要もないが、拘束筋２５の両端部を第２鉄筋に巻き付けるように上側から下側に曲げて第２鉄筋に予め係止しておくことも好ましく、また第２鉄筋１４と拘束筋２５の端部とを溶接しておけばさらに好ましい。
【００３２】
図７は、本発明の他の実施形態に係るデッキプレートにおける端部構造を示している。このデッキプレートにおける端部構造では、拘束筋２５の両端側を、それぞれ第２鉄筋１４を巡るようにほぼ直角に下向きに屈曲し、さらにデッキプレート１０の配力筋方向Ｙへ延びるようにほぼ直角に曲げて端部２５ａ，２５ｂとし、その端部２５ａ，２５ｂを金属ベース１１の上面１１ａに載置させたものである。このデッキプレート１０の端部構造によれば、コンクリート打設後の鉄筋ユニット１２の端部に掛かる荷重を棒材２３と拘束筋２５とに分散して建造物の横梁３５に伝達することができる。また、拘束筋２５の端部２５ａ，２５ｂを金属ベース１１の上面に溶接（溶接部を符号２９で示す）しておけば、第２鉄筋１４端部の跳ね上がりによって拘束筋２５が受ける曲げ力に抵抗力を与えることができる。
【００３３】
図８は、本発明のさらに他の実施形態に係るデッキプレートにおける端部構造を示している。このデッキプレートにおける端部構造では、拘束筋３０が金属ベース１１の上面１１ｃと平行な幅方向部位３０ａと、その両端側をほぼ直角に下向きに屈曲された縦方向部位３０ｂと、この縦方向部位３０ｂの下端を配力筋方向Ｙへ延びるようにほぼ直角に曲げた端部３０ｃ，３０ｃとから構成されている。この形状の拘束筋３０では、第２鉄筋１４の下側に配置された幅方向部位３０ａを第２鉄筋１４に接触させ、その接触部が溶接（溶接部を符号３１で示す）され、拘束筋３０の両端部３０ｃ，３０ｃは、金属ベース１１の上面１１ａに載置されている。この場合でも図７に示される実施形態と同様に拘束筋３０の端部３０ｃ，３０ｃを金属ベース１１の上面に溶接（溶接部２９）しておけば、第２鉄筋１４端部の跳ね上がりによって拘束筋３０が受ける曲げ力に抵抗力を与えることができる。
【００３４】
図９は、本発明のさらに別の実施形態に係るデッキプレートにおける端部構造を示している。このデッキプレートにおける端部構造では、図８に示される実施形態のデッキプレート１０で用いた形状の拘束筋３０を一対の第２鉄筋１４間に納まるように配置している。すなわち、金属ベース１１の上面１１ｃと平行な幅方向部位３０ａの両端側をほぼ直角に下向きに屈曲された縦方向部位３０ｂを第２鉄筋１４に接触させて、その接触部が溶接（溶接部３１）されている。この実施形態についても配力筋方向Ｙへ延びるようにほぼ直角に曲げられている端部３０ｃ，３０ｃは、金属ベース１１の上面１１ａに載置され、或いはこれら端部３０ｃ，３０ｃが金属ベース１１の上面に溶接（溶接部２９）されている。
【００３５】
図９に示される実施形態のデッキプレート１０によると、Ｌ型の棒材２３における第１の棒状部２３ｂと第１鉄筋１３との溶接部２６がデッキプレート１０の横方向Ｘにおいて接触する部分であり、また、同様に、拘束筋３０と第２鉄筋１４との溶接部３１がデッキプレート１０の横方向Ｘにおいて接触する部分であるので、施工現場でこれらの箇所を自動溶接機で溶接するときに該自動溶接機における電極の向きを変えることなく鉄筋ユニット１２に沿って配力筋方向Ｙへ移動させるだけでよい。そのため、自動溶接機による溶接を迅速に行うことができ、施工時間の短縮化を図ることができる。
【００３６】
図１〜図９に示された実施形態に係るデッキプレート１０は、これをＳ造、即ち躯体が鉄骨で構成された構築物でのスラブを形成する場合を例としたが、躯体がＲＣ造（鉄筋コンクリート造）の場合には、横梁３５に相当する部分が剛性な平面部ではない。すなわち、躯体が鉄筋コンクリート造の場合には、図１０に示されるようにデッキプレート１０の端部が支持される部分は、横梁を形成する木製の型枠体３６上に乗せられることになる。ＲＣ造の躯体における横梁の形成直前の状態は、配筋部（図示せず）の両側にベニヤ板或いは合板などからなる型枠用パネル３７を立て横木３８で側圧を支持する構造となっているので、この型枠体３６上にデッキプレート１０の端部を乗せた時に該端部を固定する部分が存在しない。そこで、前述したように第１鉄筋１３の端部に掛かる荷重を支持するための棒材を用いてデッキプレート１０と横梁形成型枠体３６との固定を図る。具体的に説明すると、図１〜図９に示される実施形態のデッキプレート１０で用いたＬ型の棒材２３に代えてクランク型の棒材３９が用いられる。この棒材３９は、２つの屈曲部３９ａ，３９ｂからほぼ直角に相反する方向に延びる棒状部３９ｃ，３９ｄと、２つの屈曲部３９ａ，３９ｂ間の棒状部３９ｅとからなるクランク形状をしている。
【００３７】
クランク形状をした棒材３９は、棒状部３９ｅが金属ベース１１の上面１１ｃに乗せられ、棒状部３９ｃが金属ベース１１から立ち上がってその上端部の周面が第１鉄筋１３の周面に接触し、その接触部が溶接（溶接部２６）され、また、棒状部３９ｅの周面と金属ベース１１の上面１１ｃとの接触部が溶接されている。これら溶接部は図１０においてそれぞれ符号２６，４０で示されている。棒材３９の棒状部３９ｄは、側圧支持用の型枠パネル３７の内側面に沿ってほぼ垂直下方へ延びるように配置される。
【００３８】
この実施形態に係るデッキプレート１０によると、該デッキプレート１０にコンクリートを打設する時、鉄筋ユニット１２の両端に掛かる荷重は、第１鉄筋１３から棒材３９を介して横梁形成型枠体３６に伝わって支持される。また、デッキプレート１０の両端において棒材３９の棒状部３９ｄが型枠パネル３７内側面に沿ってほぼ垂直下方へ延びているため、デッキプレート１０の敷き込みに際してその両端部を木製の型枠体３６上に乗せるだけでデッキプレート１０の配力筋方向Ｙへの動きを防止することができる。したがって、デッキプレート１０の敷き込み後に確実な固定を図るために釘４１等を用いて金属ベース１１を型枠パネル３７又は横木３８に仮固定する時でもデッキプレート１０のずれが起こらず正確な位置に取り付けることができる。
【００３９】
さらに、この実施形態に係るデッキプレート１０では、第１鉄筋１３の端部と締結金具２２である拘束筋３０とをそれぞれ溶接で連結している棒材３９は、棒状部３９ｅで金属ベース１１に溶接（溶接部４０）され、この金属ベース１１が釘４１で型枠体３６に固定されているので、鉄筋ユニット１２における第１鉄筋１３と第２鉄筋１４との各端部がコンクリート打設時に跳ね上がろうとする作用力に対抗し、その跳ね上がりを防止することができる。
【００４０】
なお、図１〜図１０に示される実施形態に係るデッキプレート１０では、２組の鉄筋ユニット１２が金属ベース１１上に並んでいるが、鉄筋ユニット１２の個数を２組に限定するものではなく、金属ベース１１上に３組以上の鉄筋ユニット１２が形成されていてもよい。また、図７に示される実施形態に係るデッキプレート１０では、拘束筋２５の両端部２５ａ、２５ｂをデッキプレート１０の配力筋方向Ｙへ延ばして金属ベース１１の上面１１ｃに当接させたものであったが、拘束筋２５の両端部２５ａ，２５ｂが延びる方向は、図７に示される態様に限定されるものではなく、金属ベース１１の上面１１ｃに沿う方向であればいずれの方向であってもよい。
【００４１】
さらに、図８、図９および図１０に示される実施形態に係るデッキプレート１０についても各拘束筋３０の両端部３０ｃが隣接する端縁部１１ａ，１１ｂへ向かって金属ベース１１の上面１１ｃに沿うように延びているが、拘束筋３０の両端部３０ｃの延びる方向は、図８、図９および図１０に示される態様に限定されるものではなく、金属ベース１１の上面１１ｃに沿う方向であればいずれの方向であってもよい。
【図面の簡単な説明】
【００４２】
【図１】本発明の一実施形態に係るデッキプレートを示す斜視図である。
【図２】図１のデッキプレートを上方から見た上面図である。
【図３】図３（ａ）はデッキプレートを図１の矢印Ａで示す方向から見た側面図、図３（ｂ）はデッキプレートにコンクリートが打設されたときの荷重分布を示す図である。
【図４】デッキプレートを図１の矢印Ｂで示す方向から見た端面図である。
【図５】図３に示されるデッキプレートの一部を拡大しかつ部分的に破断して示す断面図である。
【図６】本発明に係る他の実施形態におけるデッキプレートを示す図４と同様な端面図である。
【図７】本発明に係る他の実施形態におけるデッキプレートの端部を示す部分的な斜視図である。
【図８】本発明に係る他の実施形態におけるデッキプレートの端部を示す部分的な斜視図である。
【図９】本発明に係るさらに他の実施形態におけるデッキプレートの端部を示す部分的な斜視図である。
【図１０】本発明に係るさらに他の実施形態におけるデッキプレートの端部を示す部分的な斜視図である。
【符号の説明】
【００４３】
１０    デッキプレート
１１    金属ベース
１１ａ，１１ｂ    端縁部
１１ｃ    上面
１２    鉄筋ユニット
１３    第１鉄筋（主鉄筋）
１４    第２鉄筋（主鉄筋）
１５    ラチス筋
１５ａ    上側屈曲部
１５ｂ    下側屈曲部
１８    突条
２１    荷重支持部材
２２    締結金具
２３    棒材
２４，２５，３０    拘束筋
３５    横梁
【図１】
2007262859.tif 000003
【図２】
2007262859.tif 000004
【図３】
2007262859.tif 000005
【図４】
2007262859.tif 000006
【図５】
2007262859.tif 000007
【図６】
2007262859.tif 000008
【図７】
2007262859.tif 000009
【図８】
2007262859.tif 000010
【図９】
2007262859.tif 000011
【図１０】
2007262859.tif 000012